(57)【要約】【課題】  電源供給器固定装置の提供。【解決手段】  それぞれが結合部を具えた二側の底座と、第１及び第２側板を具えて結合部上に設置可能な固定ユニットであって、該第１側板に押し板が摺動可能に設けられ、該押し板の別端が該第２側板上を圧迫し、且つ第２側板の一面に押し板と係合する留め具が設けられた上記固定ユニットと、を包含する。該底座と該固定ユニットの組合せにより、電源供給器を必要な位置により強固に位置決めする。【選択図】        図２
0003138101.tif 000002
【実用新案登録請求の範囲】
【請求項１】
電源供給器固定装置において、
底座であって、二側にそれぞれ結合部を具えた、上記底座と、
固定ユニットであって、それぞれ該結合部上に設けられた第１側板と第２側板を具え、該第１側板上に動作可能に押し板が設けられ、該押し板の別端が該第２側板上を圧迫し、且つ該第２側板の一面に該押し板と係合する留め具が設けられた、上記固定ユニットと、  を包含したことを特徴とする、電源供給器固定装置。
【請求項２】
請求項１記載の電源供給器固定装置において、該底座が全面式の板体とされたことを特徴とする、電源供給器固定装置。
【請求項３】
請求項１記載の電源供給器固定装置において、該底座は第１板体と第２板体で構成され、該第１板体と該第２板体は軸体と、該軸体上に摺動可能に嵌合された滑り溝とを具えたことを特徴とする、電源供給器固定装置。
【請求項４】
請求項１記載の電源供給器固定装置において、該結合部に案内部が設けられたことを特徴とする、電源供給器固定装置。
【請求項５】
請求項１記載の電源供給器固定装置において、該第１側板と該第２側板は該結合部に摺動可能に組み合わされたことを特徴とする、電源供給器固定装置。
【請求項６】
請求項１記載の電源供給器固定装置において、該第１側板と該第２側板は該結合部上に固定されたことを特徴とする、特徴とする、電源供給器固定装置。
【請求項７】
請求項１記載の電源供給器固定装置において、該押し板はピンで摺動可能に第１側板に組み合わされ、且つ該押し板の該底座に対向する一面にクッションが設けられたことを特徴とする、電源供給器固定装置。
【請求項８】
請求項１記載の電源供給器固定装置において、該留め具が係止リングと該係止リングを固定する固定フックで構成されたことを特徴とする、電源供給器固定装置。
【考案の詳細な説明】
【技術分野】
【０００１】
本考案は一種の電源供給器固定装置の設計に係り、特に、底座と固定ユニットの組合せを利用し、電源供給器を必要な位置により強固に位置決めできる電源供給器固定装置に関する。
【背景技術】
【０００２】
周知のコンピュータの電源供給器は、通常はコンピュータケース内部のフレーム内に設けられ、該フレームはコンピュータケース内部の上端の後側位置部分に固定され、並びに該電源供給器をコンピュータケース内に固定し、並びにコンピュータ運転時に電力提供のソースとなす。
【考案の開示】
【考案が解決しようとする課題】
【０００３】
ただし、該フレームとコンピュータケース及びフレームと電源供給器の間は通常ネジで固定され、これによりある時間使用した後に、電源供給器の運転時に発生する振動により、該電源供給器及びフレームの間にゆるみが発生し、これにより電源供給器がフレーム内に安定して固定されなくなる。さらに、コンピュータケース内部の電源供給器、マザーボード、ディスクドライブ及び各部品の運転時に、いずれも熱を発生し、ファンにより放熱機能が実行されるものの、コンピュータケース内は閉じた空間とされるため、コンピュータ運転時に発生し迅速に排出されない熱は該コンピュータ内部で循環状態を形成し、徐々に電源供給器の正常な運転機能に、放出しにくい熱により影響を与える。
【課題を解決するための手段】
【０００４】
本考案は一種の電源供給器固定装置を提供し、それはそれぞれが結合部を具えた二側の底座、第１及び第２側板を具えて結合部上に設置可能な固定ユニットであって、該第１側板に押し板が摺動可能に設けられ、該押し板の別端が該第２側板上を圧迫し、且つ第２側板の一面に押し板と係合する留め具が設けられた上記固定ユニットを包含する。底座と固定ユニットの組合せにより、電源供給器を必要な位置により強固に位置決めできる。
【考案の効果】
【０００５】
本考案は、上述の従来の技術の欠点を排除し、欠点の存在をなくしており、すなわち底座と固定ユニットの組合せを利用し、電源供給器を必要な位置により強固に位置決めできる。
【考案を実施するための最良の形態】
【０００６】
図１は本考案の立体外観図及び図２は本考案の立体分解図である。図示されるように、本考案の電源供給器固定装置は、底座１と固定ユニット２で構成され、底座１と固定ユニット２の相互組合せにより、電源供給器が必要な位置により強固に位置決めされる。
【０００７】
上述の底座１は全面式の板体とされ、且つ該底座１の二側に結合部１１があり、該結合部１１上には案内部１１１がある。
【０００８】
該固定ユニット２は上述の結合部１１上にそれぞれ設けられた第１及び第２側板２１、２２を具え、該第１側板２１上にピン２３１が組み合わされて押し板２３が摺動可能に設けられ、該押し板２３の底座１に対応する一面に、クッション２３２が設けられ、該押し板２３の別端は第２側板２２上を圧迫し、且つ該第２側板２２の一面に該押し板２３と係合する留め具２４が設けられ、該留め具２４は係止リング２４１と該係止リング２４１を固定する固定フック２４２で構成される。ゆえに、上述の構造の組合せにより新規な電源供給器固定装置が構成される。
【０００９】
また、図３、４、５、６及び図７は、それぞれ本考案の組立状態表示図、本考案の組立完成状態表示図、本考案の第１使用状態表示図、本考案の第２使用状態表示図、及び本考案のもう一つの組立完成状態表示図である。これらの図に示されるように、本考案は組立て時に、まず電源供給器３を底座１上に設置し、その後、更に固定ユニット２の第１側板２１、第２側板２２をそれぞれ結合部１１上に設け、該第１側板２１、第２側板２２は案内部１１１により摺動可能に結合部１１に組み合わせ並びに必要な位置に調整する。第１側板２１、第２側板２２を必要な位置に調整し、更にネジ或いははんだ付けの方式で結合部１１上に固定し、第１側板２１、第２側板２２の設置完成後に、さらに第１側板２１の押し板２３をピン２３１を組み合わせて第２側板２２及び電源供給器３の方向に移動させて、該押し板２３に設けられたクッション２３２を電源供給器３上に貼り合わせ、並びに電源供給器３の上面及び第２側板２２の端面を圧迫する。その後、留め具２４の係止リング２４１を押し板２３の一端に嵌合させ、更に該固定フック２４２を下圧し、留め具２４を押し板２３に強固に係止させ、こうして電源供給器３を底座１上に位置制限する。並びにクッション２３２により電源供給器３運転時に発生する振動を吸収する。このほか、使用者が電源供給器３の設置を実行したい時は、本考案の電源供給器３を設けた底座１をコンピュータケース４内部の適宜位置に固定（例えば図５のとおり）し、或いは、直接該底座１をコンピュータケース４外部上面の所定位置部分に設置（例えば図６のとおり）し、電源供給器３を外部開放空間に設置することで良好な放熱効果を得る。こうして、電源供給器３を必要な位置に安定して固定することができる。
【００１０】
また、本考案の以上に記載の組立方式は、実際の必要により、第１側板２１、第２側板２２の長さを更に延長し、底座１上に少なくとも二つの相互に重畳する電源供給器３、３ａを設置可能とし、並びに該第１側板２１、第２側板２２の増加した長さを二つの電源供給器３、３ａの重畳後の高さに適合させ、この時、該押し板２３もまた留め具２４による係止を組み合わせて安定して該重畳する電源供給器３、３ａを位置決めでき、使用上、更に応用性を得られる。
【００１１】
さらに、図８及び図９を参照されたい。図８は本考案の底座部分の別の実施状態表示図、図９は本考案の別の組立状態表示図である。図示されるように、本考案の底座１は上述の全面式板体とされ得るほか、該底座１ａは第１板体１２ａ及び第２板体１３ａで構成可能である。該第１板体１２ａ及び第２板体１３ａは左右対応の方式で設置されるか、上下対応の方式（図示せず）で設置され得る。且つ該第１板体１２ａ及び第２板体１３ａに軸体１２１ａ、１３１ａと、該軸体１２１ａ、１３１ａに摺動可能に嵌合される滑り溝１２２ａ、１３２ａが設けられ、該軸体１２１ａ、１３１ａと滑り溝１２２ａ、１３２ａの組合せを利用し、該底座１ａが電源供給器３の寸法に応じて必要な調整を行える。
【００１２】
また、該底座１ａに別の調整を実行可能であり、第１板体１２ａ及び第２板体１３ａをそれぞれ左右の二側に向けて引き動かし、該底座１ａの幅を延伸し、これにより底座１ａ上に少なくとも二つの相互に並列された電源供給器３、３ａを設置できるようにし、且つ同様に、第１側板２１、第２側板２２を利用し、該押し板２３と留め具２４の組合せにより、強固に該並列された電源供給器３、３ａを固定でき、使用上、更に変化性を具備するものとされる。
【００１３】
総合すると、本考案の電源供給器固定装置は確実に周知の各種の欠点を改善し、底座と固定ユニットの組合せを利用し、電源供給器を必要な位置により強固に位置決めでき、これにより本考案は更に進歩性、実用性を具備し、更に操作者の必要に符合し、実用新案登録の要件を具備する。なお、以上の説明は本考案の範囲を限定するものではなく、本考案に基づきなし得る細部の修飾或いは改変は、いずれも本考案の請求範囲に属するものとする。
【図面の簡単な説明】
【００１４】
【図１】本考案の立体外観図である。
【図２】本考案の立体分解図である。
【図３】本考案の組立状態表示図である。
【図４】本考案の組立完成状態表示図である。
【図５】本考案の第１使用状態表示図である。
【図６】本考案の第２使用状態表示図である。
【図７】本考案のもう一つの組立完成状態表示図である。
【図８】本考案の底座部分の別の実施状態表示図である。
【図９】本考案の別の組立状態表示図である。
【符号の説明】
【００１５】
１、１ａ  底座              １１  結合部
１１１  案内部              １２ａ  第１板体
１２１ａ、１３１ａ  軸体    １２２ａ、１３２ａ  滑り溝
１３ａ  第２板体            ２  固定ユニット
２１  第１側板              ２２  第２側板
２３  押し板                ２３１  ピン
２３２  クッション          ２４  留め具
２４１  係止リング          ２４２  固定フック
３、３ａ  電源供給器        ４  コンピュータケース
【図１】
0003138101.tif 000003
【図２】
0003138101.tif 000004
【図３】
0003138101.tif 000005
【図４】
0003138101.tif 000006
【図５】
0003138101.tif 000007
【図６】
0003138101.tif 000008
【図７】
0003138101.tif 000009
【図８】
0003138101.tif 000010
【図９】
0003138101.tif 000011